(57)【要約】【課題】従来のシャッタ装置に比べてはるかに高速で安定した露光を行うことが可能なシャッタ装置、このようなシャッタ装置を搭載した撮像ユニット及びカメラを提供すること。【解決手段】シャッタユニット２１は、それぞれエレクトレットを備えた先幕２５ａと後幕２５ｂとを有するフォーカルプレーンシャッタで構成している。これら先幕２５ａと後幕２５ｂのうち、何れか一方のシャッタ幕にスリット２６を形成する。このスリット２６により、高速の露光を行うことができる。【選択図】図５
2005250262.tif 000002
【特許請求の範囲】
【請求項１】
光線を透過させるための所定の大きさを有する光線通過可能領域と、
表面に複数の第１の駆動電極が設けられた第１の固定部材と、
遮光性の移動部材であって、上記第１の固定部材の上記第１の駆動電極に発生した電荷により駆動力を受けることで、上記第１の固定部材に対して相対移動可能な第１の移動部材と、
上記固定部材の上記第１の移動部材と対向する面の裏面側に配置され、表面に複数の第２の駆動電極が設けられた第２の固定部材と、
上記第１の固定部材と上記第２の固定部材との間に配置される遮光性の移動部材であって、上記第２の固定部材の上記第２の駆動電極に発生した電荷により駆動力を受けることで、上記第２の固定部材に対して相対移動可能な第２の移動部材と、
を具備し、
上記第１の移動部材と上記第２の移動部材の何れか一方には上記光線を通過させるスリットが形成されていることを特徴とするシャッタ装置。
【請求項２】
上記スリットの移動によって上記光線が上記光線通過可能領域を通過するように、上記第１の移動部材と上記第２の移動部材とを動作させることを特徴とする請求項１に記載のシャッタ装置。
【請求項３】
上記第１の移動部材と上記第２の移動部材のうち、上記スリットが形成されているほうの移動部材を移動させて、上記光線通過可能領域に上記光線を通過させることを特徴とする請求項１に記載のシャッタ装置。
【請求項４】
上記第１の移動部材と上記第２の移動部材のうち、上記スリットが形成されていないほうの移動部材を移動させて、上記光線通過可能領域に上記光線を通過させることを特徴とする請求項１に記載のシャッタ装置。
【請求項５】
上記第１の移動部材と上記第２の移動部材とを動作させ、上記スリットの移動によって上記光線通過可能領域に上記光線を通過させる第１の動作と、上記第１の移動部材と上記第２の移動部材のうち、何れか一方の移動部材のみを動作させて上記光線通過可能領域に上記光線を通過させる第２の動作とを行うことを特徴とする請求項１に記載のカメラのシャッタ装置。
【請求項６】
少なくとも上記第１の固定部材と上記第２の固定部材にも上記光線通過可能領域が設けられていることを特徴とする請求項１に記載のシャッタ装置。
【請求項７】
光線が通過する領域を遮蔽する位置とこの領域を開放する位置とで移動自在な第１の移動部材と、
上記移動部材を介して入射した光線が通過する光線通過可能領域が形成された固定部材であって、上記第１の移動部材を静電力によって移動させる第１の固定部材と、
上記第１の固定部材の光線通過可能領域を通過した光線が通過する領域を遮蔽する位置とこの領域を開放する位置とで移動自在な第２の移動部材と、
上記第２の移動部材を介して入射した光線を通過させる光線通過可能領域が形成された固定部材であって、上記第２の移動部材を静電力によって移動させる第２の固定部材と、
上記第１の固定部材と上記第２の固定部材の静電力を制御することにより露光を行う駆動制御手段と、
を具備し、
上記第１の移動部材と上記第２の移動部材の何れか一方に、上記光線を通過させるためのスリットが形成され、
上記駆動制御手段は、上記スリットが形成されている移動部材を移動させた後の所定時間後に他方の移動部材を移動させるように、上記第１の固定部材と上記第２の固定部材の静電力を制御することを特徴とするシャッタ装置。
【請求項８】
上記駆動制御手段は、上記スリットが形成されている移動部材が上記領域を遮蔽後、上記領域を開放する位置に移動した時に、上記他方の移動部材が上記領域を遮蔽する位置に移動するように、上記所定時間を決定することを特徴とする請求項７に記載のシャッタ装置。
【請求項９】
光線を透過させるための所定の大きさを有する光線通過可能領域と、
一方の表面に複数の第１の駆動電極が設けられ、他方の表面に第２の駆動電極が設けられた固定部材と、
遮光性の移動部材であって、上記第１の駆動電極に発生した電荷により駆動力を受けることで、上記固定部材に対して相対移動可能な第１の移動部材と、
遮光性の移動部材であって、上記第２の駆動電極に発生した電荷により駆動力を受けることで、上記固定部材に対して相対移動可能な第２の移動部材と、
を具備し、
上記第１の移動部材と上記第２の移動部材の何れか一方には上記光線を通過させるスリットが形成されていることを特徴とするシャッタ装置。
【請求項１０】
光線が通過する領域を遮蔽する位置とこの領域を開放する位置とで移動自在な第１及び第２の移動部材と、
上記第１の移動部材と上記第２の移動部材の間に配置され、上記第１の移動部材及び上記第２の移動部材を静電力によって移動させる固定部材と、
上記固定部材の静電力を制御することにより露光を行う駆動制御手段と、
を具備し、
上記第１の移動部材と上記第２の移動部材の何れか一方に、上記光線を通過させるためのスリットが形成され、
上記駆動制御手段は、上記スリットが形成されている移動部材を移動させた後の所定時間後に他方の移動部材を移動させるように、上記第１の固定部材と上記第２の固定部材の静電力を制御することを特徴とするシャッタ装置。
【請求項１１】
請求項１乃至１０の何れか１つに記載のシャッタ装置と、
上記シャッタ装置の上記第２の移動部材の裏側に配置される撮像素子と、
上記シャッタ装置と上記撮像素子とを保護する保護部材と、
を具備し、
上記シャッタ装置、上記撮像素子、及び保護部材が１つのユニットとして構成されていることを特徴とする撮像ユニット。
【請求項１２】
請求項１乃至１０の何れか１つに記載のシャッタ装置、或いは請求項１１に記載の撮像ユニットを搭載したことを特徴とするカメラ。
【請求項１３】
請求項５に記載のシャッタ装置或いは請求項５に記載のシャッタ装置を搭載した撮像ユニットを搭載したカメラにおいて、高速シャッタの場合は上記第１の動作を行い低速シャッタの場合は上記第２の動作を行うことを特徴とするカメラ。
【発明の詳細な説明】
【技術分野】
【０００１】
本発明は、シャッタ装置、撮像ユニット、及びカメラに関する。
【背景技術】
【０００２】
一般に、一眼レフレックスタイプのカメラ（以下、単に一眼レフカメラと略記する）の場合、フィルムまたは撮像素子の前面にフォーカルプレーンシャッタが配置されて、露光量の調整が行われるように構成されている。そして、近年のフォーカルプレーンシャッタは、シャッタ羽根をステップモータで駆動する方式や、スプリング力を利用してシャッタ羽根を開閉させる方式のものが知られている。
【０００３】
しかしながら、このような方式によるものは、シャッタ羽根を駆動する駆動装置の駆動力をシャッタ羽根に伝達するために複雑な構造を必要としていた。
【０００４】
そこで、遮光フィルムで形成したシャッタ幕を静電アクチュエータの原理を用いて駆動することにより、軽量化、低コスト化した、極めて簡単な構造のシャッタ装置が提案されている（例えば、特許文献１参照）。
【特許文献１】特開平８−２２０５９２号公報
【発明の開示】
【発明が解決しようとする課題】
【０００５】
ところで、上述した静電アクチュエータの原理を用いたシャッタ装置（以下、静電シャッタと略記する）に於いては、誘導電荷型で移動子を駆動させるので、移動子に誘起される電荷量が、駆動電極の印加電圧に強く依存する。このため、十分な電荷量を得るには非常に高い駆動電圧が必要である。したがって、シャッタ羽根となる移動子を低電圧で駆動させることが困難である。
【０００６】
また、上述した静電シャッタでは、駆動させる際に、駆動電極に電圧を印加して移動子を初期分極させてからでないとシャッタとして駆動させることができない。このため、シャッタを高速で駆動させることが困難である。また、従来のシャッタ装置で用いられているスリット露光は、シャッタ先幕とシャッタ後幕とで形成されるスリットにより高速の露光を実現するものであるが、シャッタ速度が高速になるほどスリットの幅を露光時間中に一定に保つことが困難になる。
【０００７】
したがって本発明は、上記事情に鑑みてなされたものであり、従来のシャッタ装置に比べてはるかに高速で安定した露光を行うことが可能なシャッタ装置、このようなシャッタ装置を搭載した撮像モジュール及びカメラを提供することを目的とする。
【課題を解決するための手段】
【０００８】
上記の目的を達成するために、本発明のシャッタ装置は、光線を透過させるための所定の大きさを有する光線通過可能領域と、表面に複数の第１の駆動電極が設けられた第１の固定部材と、遮光性の移動部材であって、上記第１の固定部材の上記第１の駆動電極に発生した電荷により駆動力を受けることで、上記第１の固定部材に対して相対移動可能な第１の移動部材と、上記固定部材の上記第１の移動部材と対向する面の裏面側に配置され、表面に複数の第２の駆動電極が設けられた第２の固定部材と、上記第１の固定部材と上記第２の固定部材との間に配置される遮光性の移動部材であって、上記第２の固定部材の上記第２の駆動電極に発生した電荷により駆動力を受けることで、上記第２の固定部材に対して相対移動可能な第２の移動部材とを具備し、上記第１の移動部材と上記第２の移動部材の何れか一方には上記光線を通過させるスリットが形成されていることを特徴とする。
【０００９】
この第１の態様のシャッタ装置によれば、移動部材にスリットを形成することにより、高速の露光を行うことができる。
【発明の効果】
【００１０】
本発明によれば、従来のシャッタ装置に比べてはるかに高速で安定した露光を行うことが可能なシャッタ装置、このようなシャッタ装置を搭載した撮像ユニット及びカメラを提供することができる。
【発明を実施するための最良の形態】
【００１１】
以下、図面を参照して、本発明の実施形態を説明する。  
はじめに、本発明に係るシャッタ装置に於けるシャッタ装置の駆動原理について、図１及び図２を参照して説明する。
【００１２】
本シャッタ装置は、基本的に固定子１と移動子２とを備えており、移動子２は固定子１に対して図１（ａ）及び（ｂ）に於いて左右方向に移動自在に構成されている。そして、固定子１には、被写体からの光像を撮像素子（図示せず）に導くための開口部３が設けられている。更に、この固定子１には、上記移動子２の移動方向と直交する方向に、帯状に延出された複数の駆動電極４が所定の間隔で並設されている。
【００１３】
上記移動子２は、後述する永久分極された、延出された誘導体（以下、エレクトレットと称する）５の部位を複数備えている。
【００１４】
このような構成に於いて、駆動電極４に周波電圧を印加すると、駆動電極４と上述したエレクトレットとの間に吸引力若しくは反発力が発生し、結果的に移動子２が固定子１に対して相対移動する。したがって、移動子２が固定子１の開口部３を、開放若しくは遮蔽するように移動可能にしておけば、これによってシャッタ装置を構成することができる。
【００１５】
ここで、図１（ａ）はシャッタが開の状態を示し、図１（ｂ）はシャッタが閉の状態を示している。尚、固定子１に開口部３は必ずしも必要なものではなく、固定子１を透過部材として、図１（ａ）に示されるように、駆動電極４が設けられていない領域、すなわち、光線通過可能領域を形成しても良い。以下、被写体光束が通過するこのような領域を便宜的に開口部と称する。また、本構成に係るシャッタ装置を、エレクトレットシャッタと称するものとする。
【００１６】
図２は、こうしたエレクトレットシャッタの断面を模式的に示すと共に該エレクトレットシャッタの駆動回路を示した図である。
【００１７】
エレクトレットシャッタ７に於いて、固定子１に並設されたそれぞれの駆動電極４には、駆動回路１０からの電圧信号線が接続されている。これらの電圧信号線には、４相の電圧信号が印加されるようになっており、従って、駆動電極４には、４本毎に同一の電圧信号が印加される。図２では、駆動電極４にＡ、Ｂ、Ｃ、Ｄの符号を付してこの電圧信号を区別している。
【００１８】
移動子２は、固定子１との対向面に永久分極された誘導体（エレクトレット）５を複数備えている。
【００１９】
尚、この図は、あくまでも模式図であり、実際のエレクトレットシャッタに於ける電極やエレクトレット部位の数や配置間隔は、シャッタの大きさ、開口部の面積、エレクトレット部位の極性、その配置形態、シャッタ装置として要求される駆動分解能、シャッタ最高速度等の様々な要因によって適宜決定されるものである。また、このエレクトレットシャッタの場合、正負の極性を有するエレクトレット化部位が交互に配置されたタイプであるが、何れか一方の極性だけでも実現可能である。
【００２０】
図２の左側には、上述したエレクトレットシャッタ７の構成と共に、エレクトレットシャッタ７に印加する電圧信号を発生するための駆動回路１０の構成が示されている。
【００２１】
パルス発生回路１２で生成した矩形波列（駆動パルス信号）は、位相器１３及び昇圧回路１４に供給される。昇圧回路１４では、入力された矩形波列が１００Ｖ程度まで昇圧されると共に、２つの極性を有する電圧信号に分岐されて、駆動電極４Ａ及び４Ｃに供給される。一方、位相器１３に入力された矩形波列は、９０°位相が遅れた波形となり、その後、昇圧回路１４に入力されて、上述と同様の２つの矩形波列となり、駆動電極４Ｂ及び４Ｄに供給される。
【００２２】
図３は、上記駆動回路１０によって作成されて、駆動電極４Ａ〜４Ｄに印加される電圧信号列の例を示したタイミングチャートである。このうち、図３（ａ）は駆動電極４Ａ、図３（ｂ）は駆動電極４Ｂ、図３（ｃ）は駆動電極４Ｃ、図３（ｄ）は駆動電極４Ｄのタイミングチャートである。
【００２３】
尚、駆動電極４Ａ〜４Ｄの電圧の状態は、時間ｔ１〜ｔ４の４つの状態が、時間経過に対応して繰り返して変化するものである。
【００２４】
図４（ａ）〜（ｄ）は、上述したエレクトレットシャッタ７の動作を説明する図である。尚、図４（ａ）〜（ｄ）に於いて、同図右側方向をエレクトレットの進行方向として、後方側（左側）に正極（プラス）のエレクトレット５ａ、前方側（右側）に負極（マイナス）のエレクトレット５ｂが配列されているものとする。
【００２５】
図４（ａ）は、図３に示される時間ｔ１に切り替わった直後のエレクトレットと駆動電極４の電圧の状態（極性）を示している。
【００２６】
この状態に於いて、正極のエレクトレット５ａは、駆動電極４Ａ（正極）から反発力を受け、駆動電極４Ｂ（負極）から吸引力を受ける。また、負極のエレクトレット５ｂは、駆動電極４Ｃ（負極）から反発力を受け、駆動電極４Ｄ（正極）から吸引力を受ける。このため、移動子２は、図４（ａ）の右方向に力を受けて、１つの駆動電極ピッチｄ分右方向に移動する。
【００２７】
図４（ｂ）は、時間ｔ２に切り替わった直後のエレクトレットと駆動電極の電圧の状態を示している。
【００２８】
この状態に於いて、エレクトレット５ａは、駆動電極４Ｂ（正極）から反発力を受け、駆動電極４Ｃ（負極）から吸引力を受ける。また、エレクトレット５ｂは、駆動電極４Ｄ（負極）から反発力を受け、駆動電極４Ａ（正極）から吸引力を受ける。このため、移動子２は、図４（ｂ）の右方向に力を受けて、１つの駆動電極ピッチｄ分移動する。
【００２９】
同様に、図４（ｃ）は、時間ｔ３に切り替わった直後のエレクトレットと駆動電極の電圧の状態を示している。
【００３０】
この状態に於いて、エレクトレット５ａは、駆動電極４Ｃ（正極）から反発力を受け、駆動電極４Ｄ（負極）から吸引力を受ける。また、エレクトレット５ｂは、駆動電極４Ａ（負極）から反発力を受け、駆動電極４Ｂ（正極）から吸引力を受ける。このため、移動子２は、図４（ｃ）の右方向に力を受けて、１つの駆動電極ピッチｄ分移動する。
【００３１】
更に、図４（ｄ）は、時間ｔ４に切り替わった直後のエレクトレットと駆動電極の電圧の状態を示している。
【００３２】
この状態に於いて、エレクトレット５ａは、駆動電極４Ｄ（正極）から反発力を受け、駆動電極４Ａ（負極）から吸引力を受ける。また、エレクトレット５ｂは、駆動電極４Ａ（負極）から反発力を受け、駆動電極４Ｃ（正極）から吸引力を受ける。このため、移動子２は、図４（ｄ）の右方向に力を受けて、１つの駆動電極ピッチｄ分移動する。
【００３３】
上述したように、移動子２はそれぞれのタイミングに於いて１つの駆動電極ピッチｄ移動し、この動作が繰り返されることで、移動子２は図４（ａ）→（ｂ）→（ｃ）→（ｄ）のように右方向（図示矢印Ｆ方向）に移動する。尚、移動子２を図の左方向に移動するためには、駆動電極４に印加する電圧の極性を逆に切り替えれば良い。
【００３４】
次に、本発明の一実施形態について説明する。
【００３５】
図５は、本発明に係る一実施形態のシャッタ装置を適用した撮像モジュールの正面図であり、図６は図５の撮像モジュールの断面図である。
【００３６】
本撮像モジュール２０は、図６に示すように、シャッタユニット２１と、撮像ユニット２２とで構成されている。上記シャッタユニット２１は、スリット２６が形成された先幕（第２の移動部材）２５ａと、後幕（第１の移動部材）２５ｂとを有するフォーカルプレーンシャッタである。ここで、先幕２５ａ、後幕２５ｂは、それぞれ上述したエレクトレット５（図示せず）を備えている。そして、先幕２５ａのエレクトレット５と対向するようにして、帯状に延出された駆動電極（第２の駆動電極）２８ａと光線通過可能領域としての開口部（または透光部）２７ａとが設けられた固定子（第２の固定部材）２９ａが配設されており、後幕２５ｂのエレクトレット５と対向するようにして、帯状に延出された駆動電極（第１の駆動電極）２８ｂと開口部（または透光部）２７ｂとが設けられた固定子（第１の固定部材）２９ｂが配設されている。
【００３７】
上記先幕２５ａ、後幕２５ｂは、それぞれ固定子２９ａ、２９ｂの長手方向に対して、移動自在に構成されている。そして、上記複数の駆動電極２８ａ、２８ｂは、上記固定子２９ａ、２９ｂ上で、上記先幕２５ａ、後幕２５ｂの移動方向と直交する方向に所定の間隔で並設されている。図７は、固定子２９ａの正面図である。図７に示すように、固定子２９ａの引出電極（各駆動電極に接続されている）２９０ａには、導電パターンが形成されたフレキシブルプリント基板（以下、基板と略記する）３０ａの電極３００ａが導電接続されており、基板３０ａの導電パターンを介して上記駆動回路１０から電圧信号が印加される。このような構成は、固定子２９ｂも同様である。即ち、固定子２９ｂにも基板３０ｂが導電接続されており、上記駆動回路１０から電圧信号が印加されるような構成になっている。
【００３８】
以上に示した構成により、先幕２５ａ、後幕２５ｂは、上記駆動原理に従ってそれぞれが独立して走行可能である。
【００３９】
更に、図６に示すシャッタユニット２１の被写体側（左側）には、開口部（または透光部）３１を有する保護部材３２が、スペーサ３３〜３６を介して、シャッタユニット２１の前面を覆うように固設されている。ここで、固定子２９ａ、２９ｂは、ガラス等を基板として構成されており、その表面に駆動電極２８ａ、２８ｂが形成され、更に駆動電極２８ａ、２８ｂ上に絶縁膜（図示せず）が設けられている。この絶縁膜が施されることにより、隣接する駆動電極間の短絡を防止している。尚、本一実施形態では、固定子２９ａを保護部材と兼用するような構成になっているが、固定子２９ａの裏面側に保護部材を別途設けるような構成としても良い。
【００４０】
一方、先幕２５ａ、後幕２５ｂは、ポリイミドやテフロン（登録商標）が基材として用いられており、アルミニウム等の金属膜が蒸着されている。これにより、ある程度の遮光性を確保でき、更に耐熱性を上げることができる。そして、これら先幕２５ａ、後幕２５ｂとして使用される基材（フィルム膜）の一方の面、この場合駆動電極２８ａ、２８ｂと対向する面側には、コロナ放電法により複数のエレクトレットが形成されている（これをエレクトレット化するという）。本一実施形態に於いては、正負の極性を有するエレクトレット部位が交互に配置されている（例えば、図４のエレクトレット５ａ、５ｂ参照）。
【００４１】
撮像ユニット２２の収納容器３９は樹脂等により構成されるものである。すなわち、収納容器３９内に撮像素子４０と信号線４１を収容して固定し、収納容器３９の被写体側を上記シャッタユニット２１で覆うことで撮像ユニット２２を構成している。
【００４２】
以上のような構成により、透光部３１より取り込まれた被写体光が光電変換素子である撮像素子４０に導かれ、この撮像素子４０により当該被写体の像が光電変換される。このために、上記開口部（または透光部）２７ａ、２７ｂの大きさは、撮像素子４０における撮像に必要な光量の光線を通過させることができる最小の領域よりも大きく形成しておく必要がある。これに伴ってスリット２６の大きさを決定する。具体的には、図５に示すように、スリット２６の水平方向の幅を、開口部（または透光部）２７ａ、２７ｂの水平方向の幅よりも狭く、またスリット２６の垂直方向の幅を、開口部（または透光部）２７ａ、２７ｂの垂直方向の幅よりも広くする。尚、これらの条件を満たすものであれば、開口部（または透光部）２７ａ、２７ｂやスリット２６の形状は、本一実施形態で図示した形状に限るものではない。また、本一実施形態では、先幕２５ａにスリット２６を形成するようにしているが、先幕２５ａではなく後幕２５ｂにスリット２６を形成するようにしても良い。
【００４３】
このように、本撮像モジュール２０は、エレクトレットシャッタを用いてシャッタユニット２１を構成しているため、その厚さを従来のシャッタユニットと比較して大幅に減少することができ、薄型化することができる。
【００４４】
また、エレクトレットシャッタは、先幕２５ａ、後幕２５ｂに誘導される電荷を利用するのではなく、エレクトレットに永久分極されている電荷を利用するため、幕の立ち上がり時間を短縮してシャッタ動作を高速化することができる。
【００４５】
加えて、エレクトレットの電荷量は任意に与えることが可能であることから、駆動力が最大となるような最適の電荷量を与えることができ、極めて大きな駆動力を得ることができる。したがって、撮像モジュールのサイズに応じた最適なシャッタユニット２１を構成することができる。
【００４６】
更に、先幕２５ａ、後幕２５ｂは素材として樹脂材料を用いることができるため、軽量である。例えば、先幕２５ａ、後幕２５ｂは、１０〜２０μｍの薄い膜で形成することが可能である。それ故、動作に必要な電力量は少ない。更に、静電駆動式のシャッタ装置のため機械式のシャッタ装置に比べて静かな動作を実現することができる。また、シャッタ駆動時に摩擦摺動することがなく、シャッタ装置の発塵もない。
【００４７】
図８は、先幕２５ａ、後幕２５ｂの第１の動作について説明する図である。
【００４８】
図８（ａ）は初期状態を示すもので、露光開口２７は全閉状態となっている。すなわち、先幕２５ａによって露光開口２７の全体が覆われており、図示されない撮像ユニット２２に対して被写体光が遮蔽される。
【００４９】
次に、撮像動作の開始指示に応じて、図８（ｂ）に示されるように、先幕２５ａが図示矢印Ｆ1 方向に駆動開始される。先幕２５ａの駆動後、スリット２６が露光開口２７に達すると露光が開始され、被写体光が図示されない撮像ユニット２２に導かれる。この直後に、後幕２５ｂが図示矢印Ｆ2 方向に先幕２５ａと同速で駆動開始される。その後、図８（ｃ）に示されるように、スリット２６が露光開口２７を通過した直後に後幕２５ｂによって露光開口２７が遮蔽される。その後、先幕２５ａと後幕２５ｂは、図８（ａ）に示される初期状態に復帰し、次の撮像動作に備えて待機する。
【００５０】
以上のような第１の動作では、スリット２６の移動のみで露光を行うことが可能である。この第１の動作によれば、先幕と後幕との駆動タイミングによってスリットを形成する方式に比べて、より狭い安定したスリット幅での露光が可能である。
【００５１】
図９は、先幕２５ａ、後幕２５ｂの第２の動作について説明する図である。この第２の動作は、第１の動作と異なり、露光開口を全開状態にすることも可能である。すなわち、第２の動作では、高速秒時の露光から長時間の露光までの広範囲の露光時間で露光を行うことが可能なシャッタ装置を実現できる。
【００５２】
図９（ａ）は初期状態を示すもので、露光開口２７は全閉状態となっている。すなわち、先幕２５ａによって露光開口２７の全体が覆われており、図示されない撮像ユニット２２に対して被写体光が遮蔽される。
【００５３】
次に、撮像動作の開始指示に応じて、図９（ｂ）に示されるように、スリット２６を有する先幕２５ａが図示矢印Ｆ1 方向に駆動開始される。先幕２５ａの駆動により、スリット２６が露光開口２７に達すると露光が開始される。尚、第２の動作では、この時点で後幕２５ｂの駆動を開始しない。これにより、先幕２５ｂの左端が露光開口２７を通過することによっても露光開口が開状態となる。このような動作により、被写体光が図示されない撮像ユニット２２に導かれる。
【００５４】
そして、所定時間が経過したときに、図９（ｃ）に示されるように、後幕２５ｂが図示矢印Ｆ2 方向に駆動されて露光開口２７が遮蔽される。その後、先幕２５ａと後幕２５ｂは、図９（ａ）に示される初期状態に復帰し、次の撮像動作に備えて待機する。なお、ここでの所定時間は、撮影者等によって設定される露光時間に応じて決定されるものである。
【００５５】
以上のような第２の動作では、スリット２６の移動によって露光を行う手法と先幕と後幕との駆動タイミングによってスリットを形成して露光を行う手法とを併用することで、高速秒時の露光から長時間の露光までの広範囲の露光時間で露光を行うことが可能なシャッタ装置を実現できる。尚、ここでは全開の動作について説明したが、後幕２５ｂの駆動開始のタイミングを調整することにより先幕２５ａの左端と後幕２５ｂの右端とでスリット開口を形成し、このスリット開口と、先幕２５ａに形成されたスリット２６との２つのスリットで露光することもできる。
【００５６】
図１０は、先幕２５ａ、後幕２５ｂの第３の動作について説明する図である。この第３の動作によっても、露光開口を全開状態にすることも可能である。
【００５７】
図１０（ａ）は初期状態を示すもので、露光開口２７は全閉状態となっている。すなわち、後幕２５ｂによって露光開口２７の全体が覆われており、図示されない撮像ユニット２２に対して被写体光が遮蔽される。尚、先幕２５ａは全開状態としておく。
【００５８】
次に、撮像動作の開始指示に応じて、図１０（ｂ）に示されるように、後幕２５ｂが図示矢印Ｆ3 方向に駆動されて露光開口２７は全開状態となる。これにより、被写体光が図示されない撮像ユニット２２に導かれる。
【００５９】
そして、所定時間が経過したときに、図１０（ｃ）に示されるように、後幕２５ｂが図示矢印Ｆ4 方向に駆動されて露光開口２７が遮蔽され、図１０（ａ）に示される初期状態に復帰し、次の撮像動作に備えて待機する。
【００６０】
以上のような第３の動作では、後幕２５ｂの駆動のみで露光を行うことが可能である。
【００６１】
ここで、第１の動作と第３の動作を併用する場合には、第１の動作と第３の動作とでは初期状態が異なるので、露光終了後に、第１の動作と第３の動作の何れかの初期状態に先幕２５ａ、後幕２５ｂを復帰させるようにすれば良い。これら何れの初期状態に復帰させるのかは、高速シャッタの場合には第１の動作の初期状態に復帰させるようにし、低速シャッタの場合には第３の動作の初期状態に復帰させるようにすれば良い。
【００６２】
図１１は、本発明の一実施形態に係るシャッタ装置を用いたカメラの電気系のシステム構成を示すブロック図である。
【００６３】
図１１に於いて、このカメラシステムは、ボディユニット５０と、アクセサリ装置として、例えば交換可能なレンズユニット（すなわちレンズ鏡筒）５１と、通信コネクタ５６を介して撮影した画像データを記録しておく記録メディア５２と、ストロボ通信コネクタ５７を介して外付けのストロボユニット５３とを有して構成されている。
【００６４】
上記レンズユニット５１は、上記ボディユニット５０の前面に設けられた、図示されないレンズマウントを介して着脱自在に構成されている。そして、上記レンズユニット５１は、撮影レンズ６１ａ及び６１ｂと、絞り６２と、レンズ駆動機構６３と、絞り駆動機構６４と、レンズ制御用マイクロコンピュータ（以下、Ｌμｃｏｍと略記する）６５とから構成されている。
【００６５】
上記撮影レンズ６１ａ及び６１ｂは、レンズ駆動機構６３内に存在する図示されないＤＣモータによって、光軸方向に駆動される。絞り６２は、絞り駆動機構６４内に存在する図示されないステッピングモータによって駆動される。また、Ｌμｃｏｍ６５は、上記レンズ駆動機構６３や絞り駆動機構６４等、レンズユニット５１内の各部を駆動制御する。このＬμｃｏｍ６５は、通信コネクタ５５を介して、後述するボディ制御用マイクロコンピュータ８５と電気的に接続がなされ、該ボディ制御用マイクロコンピュータ８５の指令に従って制御される。
【００６６】
一方、ボディユニット５０は、以下のように構成されている。
【００６７】
レンズユニット５１内の撮影レンズ６１ａ及び６１ｂ、絞り６２を介して入射される図示されない被写体からの光束は、ボディユニット５０内のクイックリターンミラー７０で反射されて、フォーカシングスクリーン７１、ペンタプリズム７２を介して接眼レンズ７３に至る。
【００６８】
上記クイックリターンミラー７０の中央部はハーフミラーになっており、該クイックリターンミラー７０がダウン（図示の位置）した際に一部の光束が透過する。そして、この透過した光束は、クイックリターンミラー７０に設置されたサブミラー７５で反射され、自動測距を行うためのＡＦセンサユニット７６に導かれる。尚、上記クイックリターンミラー７０のアップ時には、サブミラー７５は折り畳まれるようになっている。
【００６９】
上記クイックリターンミラー７０の後方には、上記撮影レンズ６１ａ及び６１ｂの光軸上に配置されるフォーカルプレーン式のシャッタユニット２１と、光学系を通過した被写体像を光電変換するための撮像素子（ＣＣＤ）を収容した撮像ユニット２２とを備えた撮像モジュール２０が設けられている。図示されないが、クイックリターンミラー２０が光路より退避した場合、撮影レンズ６１ａ及び６１ｂを通った光束は、撮像モジュール２０内の撮像素子４０（図６参照）に結像される。
【００７０】
このボディユニット５０は、また、上記撮像モジュール２０内の撮像素子４０に接続された撮像素子インターフェイス回路８０と、記憶領域として設けられたＳＤＲＡＭ８２と、液晶モニタ８３及び上記通信コネクタ５６を介して記録メディア５２とが、画像処理を行うための画像処理コントローラ８１に接続されている。これらは、電子撮像機能と共に電子記録表示機能を提供できるように構成されている。
【００７１】
上記記録メディア５２は、各種のメモリカードや外付けのハードディスクドライブ（ＨＤＤ）等の外部記録媒体であり、通信コネクタ５６を介してボディユニット５０と通信可能、且つ交換可能に装着される。
【００７２】
上記画像処理コントローラ８１は、通信コネクタ５５と、測光回路８６と、ミラー駆動機構８７と、ＡＦセンサ駆動回路８８と、駆動制御手段としてのシャッタ駆動制御回路９０と、不揮発性メモリ（ＥＥＰＲＯＭ）９１等と共に、このボディユニット５０内の各部を制御するためのボディ制御用マイクロコンピュータ（以下、Ｂμｃｏｍと略記する）８５に接続されている。
【００７３】
上記Ｂμｃｏｍ８５には、当該カメラの動作状態を表示出力によって撮影者へ告知するための動作表示用ＬＣＤ９２と、カメラ操作スイッチ（ＳＷ）９３と、電源回路９５を介して電池９６とが接続されている。
【００７４】
尚、上記Ｂμｃｏｍ８５とＬμｃｏｍ６５とは、レンズユニット５１の装着時に於いて、通信コネクタ５５を介して通信可能に電気的接続がなされる。そして、デジタルカメラとしてＬμｃｏｍ６５がＢμｃｏｍ８５に従属的に協働しながら稼動するようになっている。
【００７５】
上記測光回路８６は、上記ペンタプリズム７２からの光束に基づいて測光処理する回路である。上記ミラー駆動機構８７はクイックリターンミラー７０を駆動制御する機構であり、ＡＦセンサ駆動回路８８は上記ＡＦセンサユニット７６を駆動制御するための回路である。また、シャッタ駆動制御回路９０は、上記シャッタユニット２１の先幕２５ａと後幕２５ｂの動きを制御すると共に、Ｂμｃｏｍ８５との間でシャッタの開閉動作を制御する信号とストロボと同調する信号の授受を行う。
【００７６】
不揮発性メモリ９１は、その他の記憶領域として、カメラ制御に必要な所定の制御パラメータを記憶する記憶部であり、Ｂμｃｏｍ８５からアクセス可能に設けられている。
【００７７】
動作表示用ＬＣＤ９２は、当該カメラの動作状態を表示出力によってユーザへ告知するためのものである。上記カメラ操作スイッチ９３は、例えば撮影動作の実行を指示するレリーズスイッチ、撮影モードと画像表示モードを切り替えるモード変更スイッチ及びパワースイッチ等、当該カメラを操作するために必要な操作釦の操作によってオンオフするスイッチ群で構成される。
【００７８】
更に、電源回路９５は、電源としての電池９６の電圧を、当該カメラシステムの各回路ユニットが必要とする電圧に変換して供給するために設けられている。
【００７９】
ストロボユニット５３は、閃光発光部１０１と、ＤＣ／ＤＣコンバータ１０２と、ストロボ制御用マイクロコンピュータ１０３及び電池１０４とから成っている。そして、このストロボユニット５３は、ストロボ通信コネクタ５７を介して、ボディユニット５０と通信可能に装着可能である。
【００８０】
このように構成されたデジタルカメラの各部は、次のように稼動する。
【００８１】
先ず、画像処理コントローラ８１により、Ｂμｃｏｍ８５の指令に従って撮像素子インターフェイス回路８０が制御されて、撮像モジュール２０から画像データが取り込まれる。この画像データは、一時保管用メモリであるＳＤＲＡＭ８２に取り込まれる。このＳＤＲＡＭ８２は、画像データが変換される際のワークエリア等に使用される。また、この画像データは、画像処理コントローラ８１においてＪＰＥＧデータに変換された後には、記録メディア５２に保管されるように設定されている。
【００８２】
ミラー駆動機構８７は、上述したように、クイックリターンミラー７０をアップ（ＵＰ）位置とダウン（ＤＯＷＮ）位置へ駆動するための機構である。ミラー駆動機構８７によってクイックリターンミラー７０がダウン位置にある時、撮影レンズ６１ａ及び６１ｂからの光束は、ＡＦセンサユニット７６側とペンタプリズム７２側へと分割されて導かれる。
【００８３】
ＡＦセンサユニット７６内のＡＦセンサからの出力は、ＡＦセンサ駆動回路８８を介してＢμｃｏｍ８５へ送信されて、周知の測距処理が行われる。
【００８４】
一方、ペンタプリズム７２に隣接する接眼レンズ７３からは、撮影者が被写体を目視できる。また、上記ペンタプリズム７２を通過した光束の一部は、測光回路８６内のホトセンサ（図示せず）へ導かれ、ここで検知された光量に基づいて周知の測光処理が行われる。
【００８５】
シャッタ駆動制御回路９０では、Ｂμｃｏｍ８５からシャッタを駆動制御するための信号が受取られると、その信号に基づいてシャッタユニット２１が制御される。それと共に、シャッタ駆動制御回路９０から、所定のタイミングでＢμｃｏｍ８５にストロボを発光させるためのストロボ同調信号が出力される。Ｂμｃｏｍ８５からは、このストロボ同調信号に基づいて、ストロボユニット５３に通信により発光指令信号が出力される。
【００８６】
また、撮影者によって上述したカメラ操作スイッチ９３の中のモード変更スイッチが操作されて、撮影モードから画像表示モードへ切り替えられると、記録メディア５２に保管された画像データが読み出されて、液晶モニタ８３に表示可能である。記録メディア５２から読み出された画像データは、画像処理コントローラ８１に於いてビデオ信号に変換され、液晶モニタ８３にて出力表示される。
【００８７】
本一実施形態のシャッタ装置は、図１１に於けるシャッタユニット２１とシャッタ駆動制御回路９０とにより構成されている。
【００８８】
図１２は、シャッタ駆動制御回路９０とシャッタユニット２１との信号接続を示す構成図である。
【００８９】
シャッタユニット２１には、上述したように、先幕２５ａと後幕２５ｂとが備えられており、それぞれの幕を駆動するために、図２に示されたものと同様の構成の位相器１１２ａ、１１２ｂを含む２系統の駆動回路１１３ａ、１１３ｂが設けられている。パルス発生回路１１１は、Ｂμｃｏｍ８５からの開閉制御信号に基づいて先幕２５ａと後幕２５ｂを駆動する。これにより、露光開口２７の開閉動作が制御される。
【００９０】
また、Ｂμｃｏｍ８５からリセット信号を受取ったときは、先幕２５ａと後幕２５ｂが初期状態に駆動される。更に、パルス発生回路１１１からは、所定のタイミングでＢμｃｏｍ８５にストロボ同調信号が出力される。
【００９１】
次に、本一実施形態に係るシャッタ装置を用いた撮像制御方法について説明する。
【００９２】
図１３は、Ｂμｃｏｍ８５の概略の撮影動作手順を示すフローチャートである。この動作は、本カメラシステムの処理手順の内、レリーズ操作から画像データ生成までの動作手順を示している。
【００９３】
撮影者によってレリーズ釦が１段押下されるとカメラ操作スイッチ９３内の１ｓｔレリーズスイッチがＯＮして本ルーチンが開始される。
【００９４】
先ず、ステップＳ１では、測光処理が実行される。すなわち、測光回路８６にて測定された被写体の輝度情報が獲得される。次いで、ステップＳ２にて、その輝度情報に基づいて露光量演算が実行され、適正な絞り値（ＡＶ：ａｐｅｒｔｕｒｅ  ｖａｌｕｅ）とシャッタ速度（ＴＶ：ｔｉｍｅ  ｖａｌｕｅ）が算出される。
【００９５】
ステップＳ３では、ＡＦ処理が実行される。つまり、被写体からの光束が、クイックリターンミラー７０及びサブミラー７５を介してＡＦセンサユニット７６で受光される。この受光された被写体像のずれ量が、ＡＦセンサ駆動回路８８を介してＢμｃｏｍ８５に出力される。Ｂμｃｏｍ８５では、被写体像のずれ量からレンズの駆動量が算出され、その値が通信コネクタ５５を介してレンズユニット５１内のＬμｃｏｍ６５に送信される。Ｌμｃｏｍ６５では、上記レンズ駆動量に基づいて、レンズ駆動機構６３を介して撮影レンズ６１ａが移動されて焦点が調整される。
【００９６】
ここで、ステップＳ４に於いて、焦点が調整された状態でレリーズ釦が更に（２段）押下されている（２ｎｄレリーズスイッチＯＮ）か否かが判断される。レリーズ釦が２段押下されていない場合は、ステップＳ５に移行してレリーズ釦が１段押下されている状態であるか否かが判断される。ここで、レリーズ釦が１段押下の状態にある場合は、ステップＳ４へ移行してレリーズ釦が２段押下されるまで待機する。しかし、レリーズ釦が２段押下されていない場合で、レリーズ釦が１段押下されていない場合、即ちレリーズ釦が離された場合には、撮影者が撮影動作を中止したものと判断されて本ルーチンが終了する。
【００９７】
上記ステップＳ４にてレリーズ釦が２段押下されている場合は、撮影動作が継続され、ステップＳ６へ移行して絞り込み駆動が実行される。すなわち、Ｂμｃｏｍ８５により、ＡＶ値が通信コネクタ５５を介してＬμｃｏｍ６５に送信される。Ｌμｃｏｍ６５では、送られたＡＶ値に基づいて絞り駆動機構６４を介して絞り６２が制御される。
【００９８】
次に、ステップＳ７にてミラーアップ駆動が実行される。すなわち、ミラー駆動機構８７を介してクイックリターンミラー７０がアップ位置に跳ね上げられて、撮影光路が確保される。この後、ステップＳ８にて、撮像素子インターフェイス回路８０に対して撮像動作が開始されるように、Ｂμｃｏｍ８５から指示が出力される。すると、撮像素子インターフェイス回路８０では、この指示に基づいて撮像ユニット２２内の撮像素子４０を動作させる。
【００９９】
以上の動作の後、Ｂμｃｏｍ８５によってシャッタ制御動作が実行される。このシャッタ制御動作については、図１３のフローチャートと共に、図１４に示される全開露光時のシャッタ制御タイムチャートを参照して説明する。
【０１００】
ステップＳ９では、Ｂμｃｏｍ８５からシャッタ駆動制御回路９０にシャッタ開信号が出力される。すなわち、図１４のタイムチャートに示される開閉制御信号の信号レベルが、アクティブにされる。次いで、ステップＳ１０にて、これを受けたシャッタ駆動制御回路９０内のパルス発生回路１１１では、先幕２５ａを駆動するため先幕駆動パルスの出力が開始される。この先幕駆動パルスのパルス数に対応して、図１４の先幕開口波形に示されるように、先幕２５ａが露光開口の全閉位置から開方向に駆動される。
【０１０１】
次に、ステップＳ１１に於いて、Ｂμｃｏｍ８５により、露光時間が経過したか否かが判断される。ここで、露光時間が経過していない場合は、ステップＳ１２へ移行して、図１４に示されるストロボ同調信号がシャッタ駆動制御回路９０から出力されたか否かが判断される。ここでは、ストロボ同調信号が出力されるまで待機する。
【０１０２】
ストロボ同調信号は、先幕２５ａが露光開口を全開とする位置に到達したタイミングでシャッタ駆動制御回路９０から出力される。上述したように、エレクトレットが用いられて構成された先幕２５ａ（及び後幕２５ｂ）は極めて軽量であるため、この先幕駆動パルスによって先幕２５ａを高精度、且つ高速に駆動することが可能である。したがって、露光開口が全開になったか否かを他の検出手段を用いて検出する必要がなく、先幕駆動パルスのパルス数を計数することで判断することができる。
【０１０３】
そこで、シャッタ駆動制御回路９０からは、図１４に示されるように、先幕駆動パルスが所定数（ｍ）出力されたタイミングで、ストロボ同調信号（矩形信号）がＢμｃｏｍ８５に対して出力される。ステップＳ１２にて、このストロボ同調信号がアクティブになったことが検出された場合は、ステップＳ１３へ移行して、Ｂμｃｏｍ８５からストロボユニット５３に対して発光を指示する発光制御信号が出力されたか否かが判断される。
【０１０４】
ここで、発光制御信号がまだ出力されていない場合は、ステップＳ１４へ移行して発光制御信号がストロボユニット５３に対して出力された後、上記ステップＳ１１へ移行する。一方、既に発光制御信号が出力されている場合は、再度の発光制御信号の出力が行われないように制御されて上記ステップＳ１１へ移行する。
【０１０５】
上記ステップＳ１１にて露光時間が経過した場合は、ステップＳ１５へ移行してＢμｃｏｍ８５からシャッタ閉信号が出力される。すなわち、開閉制御信号の信号レベルがノンアクティブにされる。これを受けたシャッタ駆動制御回路９０内のパルス発生回路１１１では、後幕２５ｂを駆動するための後幕駆動パルスの出力が開始される。この後幕駆動パルスのパルス数に従って、図１４の後幕開口波形に示されるように、後幕２５ｂが露光開口の全開位置から全閉位置の方向に向けて駆動される。
【０１０６】
次に、ステップＳ１６にて、Ｂμｃｏｍ８５から撮像素子インターフェイス回路８０に対して撮像動作を停止させる旨の指示が出力される。この撮像素子インターフェイス回路８０からの指示に基づいて、撮像ユニット２２内の撮像素子４０の撮像動作が停止される。
【０１０７】
ステップＳ１７では、シャッタ駆動制御回路９０にリセット信号が出力される。これを受けたシャッタ駆動制御回路９０内のパルス発生回路１１１により、先幕２５ａ及び後幕２５ｂが初期位置に駆動される。
【０１０８】
次いで、ステップＳ１８では、Ｂμｃｏｍ８５から画像処理コントローラ８１に、画像データの処理実行が指示される。画像処理コントローラ８１では、初めに撮像素子インターフェイス回路８０を介して撮像素子４０の蓄積電荷の読み出しが行われる。そして、その信号がＡ／Ｄ変換されて画像データが生成される。そして、その画像データが処理されて、画像処理コントローラ８１から通信コネクタ５６を介して、記録メディア５２に記録される。
【０１０９】
更に、ステップＳ１９にて、Ｂμｃｏｍ８５からミラー駆動機構８７を介してクイックリターンミラー７０がダウン位置へ駆動される。また、ステップＳ２０にて、Ｌμｃｏｍ６５に対して、絞り駆動機構６４を介して絞り６２が全開とされるように指示される。
【０１１０】
このようにして、撮像動作が終了する。
【０１１１】
図１５は、スリット露光時のシャッタ制御動作を説明するタイムチャートである。尚、この図１５は、上記第２の動作におけるスリット露光時のタイムチャートである。
【０１１２】
通常の撮影時は、上述したように、露光開口２７を全開状態にした全開露光による撮影が行われるが、被写体の輝度が高い場合は、先幕２５ａが全開となる前に露光時間が経過する場合がある。
【０１１３】
この場合は、シャッタ駆動制御回路９０からは、ストロボ同調信号が出力されずに後幕駆動パルスが出力される。すると、この場合には、露光開口２７は全開状態とはならず、先幕２５ａと後幕２５ｂで形成される所定幅を有したスリットが、露光開口２７上を移動する。ここで、先幕２５ａにはスリット２６が形成されているので、このスリット２６による露光も同時に行われる。
【０１１４】
尚、このスリット露光時の撮像動作は、図１３に示されるフローチャートと同一であるため、その詳細の説明は省略する。
【０１１５】
また、上記した第１の動作を実行する場合には、図１５のタイムチャートにおいて先幕２５ａと後幕２５ｂとでスリットが形成されないように、先幕２５ａのスリット２６が露光開口に達した直後に後幕２５ｂを駆動するようにする。
【０１１６】
ここで、上記した第１の動作及び第２の動作によるスリット露光時には、先幕２５ａ、後幕２５ｂの駆動速度を変化させることにより、露光時間を変化させることができる。先幕２５ａ、後幕２５ｂの駆動速度を変化させるには、それぞれの駆動パルスの周波数を変化させればよい。
【０１１７】
また、上記第３の動作を実行する場合には、先幕２５ａを全開状態、後幕２５ｂを全閉状態とした状態で、後幕２５ｂを開き、露光時間が終了するタイミングで後幕２５ｂを逆走させる駆動パルスを発生させて後幕２５ｂの閉じ動作を行えば良い。
【０１１８】
以上、本発明の実施形態について説明したが、本発明は上述した実施形態以外にも、本発明の要旨を逸脱しない範囲で種々の変形実施が可能である。例えば、上述した実施形態では、１つのシャッタ幕に対して１つの固定子を配置して、２つのシャッタ幕を２つの固定子によってそれぞれ駆動するようにしているが、１つの固定子の表面と裏面に駆動電極を設けるようにして、２つのシャッタ幕を１つの固定子で駆動させるように構成しても良い。
【図面の簡単な説明】
【０１１９】
【図１】本発明に係るシャッタ装置に於けるシャッタ装置の駆動原理について説明する図である。
【図２】エレクトレットシャッタの断面を模式的に示すと共に該エレクトレットシャッタの駆動回路を示した図である。
【図３】図２の駆動回路１０によって作成されて、駆動電極４Ａ〜４Ｄに印加される電圧信号列の例を示したもので、（ａ）は駆動電極４Ａ、（ｂ）は駆動電極４Ｂ、（ｃ）は駆動電極４Ｃ、（ｄ）は駆動電極４Ｄのタイミングチャートである。
【図４】図２に示されるエレクトレットシャッタ７の動作を説明する図である。
【図５】本発明に係る一実施形態のシャッタ装置を適用した撮像モジュールの構成を示す正面図である。
【図６】図５の構成の撮像モジュールの断面図である。
【図７】固定子２７ａの構成を示す正面図である。
【図８】先幕２５ａ、後幕２５ｂによる第１の動作を説明する図である。
【図９】先幕２５ａ、後幕２５ｂによる第２の動作を説明する図である。
【図１０】先幕２５ａ、後幕２５ｂによる第３の動作を説明する図である。
【図１１】本発明の一実施形態に係るシャッタ装置を用いたカメラの電気系のシステム構成を示すブロック図である。
【図１２】図１１のシャッタ駆動制御回路９０とシャッタユニット２１との信号接続を示す構成図である。
【図１３】Ｂμｃｏｍ８５の概略の撮影動作手順を示すフローチャートである。
【図１４】全開露光時のシャッタ制御動作を説明するタイムチャートである。
【図１５】スリット露光時のシャッタ制御動作を説明するタイムチャートである。
【符号の説明】
【０１２０】
１，２９ａ，２９ｂ…固定子、２…移動子、３，２７ａ，２７ｂ，３１…開口部、４，４Ａ〜４Ｄ，２８ａ，２８ｂ…駆動電極、５，５ａ，５ｂ…永久分極された誘導体（エレクトレット）、７…エレクトレットシャッタ、１０…駆動回路、１２…パルス発生回路、１３…位相器、１４…昇圧回路、２０，２０ａ，２０ｂ…撮像モジュール、２１…シャッタユニット、２２…撮像ユニット、２５ａ…先幕、２５ｂ…後幕、２７…露光開口、３２…保護部材、３３〜３６…スペーサ、３９…収納容器、４０…撮像素子、５０…ボディユニット、５１…レンズユニット、５２…記録メディア、５３…ストロボユニット、６１ａ、６１ｂ…撮影レンズ、６２…絞り、６５…レンズ制御用マイクロコンピュータ（Ｌμｃｏｍ）、７０…クイックリターンミラー、７６…ＡＦセンサユニット、８０…撮像素子インターフェイス回路、８１…画像処理コントローラ、８５…ボディ制御用マイクロコンピュータ（Ｂμｃｏｍ）、９０…シャッタ駆動制御回路、１０１…閃光発光部、１０３…ストロボ制御用マイクロコンピュータ。
【図１】
2005250262.tif 000003
【図２】
2005250262.tif 000004
【図３】
2005250262.tif 000005
【図４】
2005250262.tif 000006
【図５】
2005250262.tif 000007
【図６】
2005250262.tif 000008
【図７】
2005250262.tif 000009
【図８】
2005250262.tif 000010
【図９】
2005250262.tif 000011
【図１０】
2005250262.tif 000012
【図１１】
2005250262.tif 000013
【図１２】
2005250262.tif 000014
【図１３】
2005250262.tif 000015
【図１４】
2005250262.tif 000016
【図１５】
2005250262.tif 000017